【手続補正書】
【提出日】平成24年9月20日(2012.9.20)
【手続補正１】
【補正対象書類名】特許請求の範囲
【補正対象項目名】全文
【補正方法】変更
【補正の内容】
【特許請求の範囲】
【請求項１】
第１電力状態および第１電力状態より省電力の第２電力状態となる情報処理装置であって、
コントローラと、
前記コントローラと接続されるネットワークインターフェースユニットと、を備え、
前記ネットワークインターフェースユニットは、
前記第２電力状態のときに受信したパケットが、特定パターンのパケットである場合、前記第１電力状態に移行すること無しで当該受信したパケットを保持する保持手段と、
前記保持手段によって前記パケットが保持される状態で前記情報処理装置が前記第１電力状態になった場合、前記保持手段によって保持される前記パケットを前記コントローラに送信する送信手段と、を有することを特徴とする情報処理装置。
【請求項２】
前記ネットワークインターフェースユニットは、
前記送信手段によって前記パケットが前記コントローラに送信された後、前記保持手段に保持される前記パケットを消去する消去手段、をさらに有することを特徴とする請求項１に記載の情報処理装置。
【請求項３】
前記ネットワークインターフェースユニットは、
ネットワークから送信されたパケットを受信し且つ前記ネットワークにパケットを送信する送受信手段と、
前記送受信手段によって受信されたパケットと比較するべき前記特定のパターンを含む複数種類のパターンを記憶する記憶手段と、をさらに有することを特徴とする請求項１又は２に記載の情報処理装置。
【請求項４】
前記送受信手段によって受信されたパケットと前記記憶手段に記憶される複数種類のパターンとを比較する比較手段、をさらに有することを特徴とする請求項３に記載の情報処理装置。
【請求項５】
前記記憶手段に記憶される複数種類のパターンは、代理応答パターンを含み、
前記ネットワークインターフェースユニットは、
前記比較手段による比較の結果、前記第２電力状態のときに受信したパケットが前記代理応答パターンのパケットである場合、前記第１電力状態に移行すること無しで当該受信したパケットに対する応答パケットを生成する生成手段をさらに有し、
前記送受信手段は、前記生成手段によって生成された応答パケットを前記ネットワークに送信する、ことを特徴とする、請求項４に記載の情報処理装置。
【請求項６】
前記記憶手段に記憶される複数種類のパターンは、ＷＯＬパターンを含み、
前記送信手段は、
前記比較手段による比較の結果、前記第２電力状態のときに受信したパケットが前記ＷＯＬパターンのパケットである場合、前記コントローラがデータ処理可能な前記第１電力状態に移行させるために前記コントローラに当該受信したパケットを送信する、ことを特徴とする請求項４又は５に記載の情報処理装置。
【請求項７】
前記比較手段は、
前記送受信手段によって受信されたパケットを、前記ＷＯＬパターンと比較する前に、前記特定のパターンと比較する、ことを特徴とする請求項６に記載の情報処理装置。
【請求項８】
前記特定のパターンのパケットは、前記情報処理装置に対して情報を設定するためのパケットである、ことを特徴とする請求項１乃至７のいずれか１項に記載の情報処理装置。
【請求項９】
前記特定のパターンのパケットは、ＳＮＭＰ（Simple Network Management Protocol）プロトコルのパケットである、ことを特徴とする請求項８に記載の情報処理装置。
【請求項１０】
前記コントローラに接続され、記録媒体に画像を形成するプリンタエンジン、をさらに備える、ことを特徴とする請求項１乃至９の何れか1項に記載の情報処理装置。
【請求項１１】
第１電力状態および第１電力状態より省電力の第２電力状態となる情報処理装置に接続可能なネットワークインターフェースユニットであって、
ネットワークから送信されたパケットを受信し且つ前記ネットワークにパケットを送信する送受信手段と、
前記送受信手段によって受信されたパケットと比較するべき複数種類のパターンを記憶する記憶手段と、
前記送受信手段によって受信されたパケットと前記記憶手段に記憶される複数種類のパターンとを比較する比較手段と、
前記比較手段による比較の結果、前記受信されたパケットが特定パターンのパケットである場合、前記情報処理装置のコントローラがデータ処理可能な前記第１電力状態に移行すること無しで、当該受信したパケットを保持する保持手段と、
前記保持手段によって前記パケットが保持される状態で前記情報処理装置が前記第１電力状態になった場合、前記保持手段によって保持される前記パケットを前記コントローラに送信する送信手段と、を有することを特徴とするネットワークインターフェースユニット。
【請求項１２】
前記ネットワークインターフェースユニットは、
前記送信手段によって前記パケットが前記コントローラに送信された後、前記保持手段に保持される前記パケットを消去する消去手段、をさらに有することを特徴とする請求項１１に記載のネットワークインターフェースユニット。
【請求項１３】
前記記憶手段に記憶される複数種類のパターンは、代理応答パターンを含み、
前記比較手段による比較の結果、前記送受信手段により受信されたパケットが前記代理応答パターンのパケットである場合、当該受信したパケットに対する応答パケットを生成する生成手段をさらに有し、
前記送受信手段は、前記生成手段によって生成された応答パケットを前記ネットワークに送信する、ことを特徴とする、請求項１１又は１２に記載のネットワークインターフェースユニット。
【請求項１４】
前記記憶手段に記憶される複数種類のパターンは、ＷＯＬパターンを含み、
前記送信手段は、
前記比較手段による比較の結果、前記送受信手段により受信されたパケットが前記ＷＯＬパターンのパケットである場合、前記コントローラがデータ処理可能な前記第１電力状態に移行させるために前記コントローラに当該受信したパケットを送信する、ことを特徴とする請求項１１乃至１３の何れか１項に記載のネットワークインターフェースユニット。
【請求項１５】
前記比較手段は、
前記送受信手段によって受信されたパケットを、前記ＷＯＬパターンと比較する前に、前記特定のパターンと比較する、ことを特徴とする請求項１４に記載のネットワークインターフェースユニット。
【請求項１６】
前記特定のパターンのパケットは、前記情報処理装置に対して情報を設定するためのパケットである、ことを特徴とする請求項１１乃至１５のいずれか１項に記載のネットワークインターフェースユニット。
【請求項１７】
前記特定のパターンのパケットは、ＳＮＭＰ（Simple Network Management Protocol）プロトコルのパケットである、ことを特徴とする請求項１６に記載のネットワークインターフェースユニット。
【請求項１８】
コントローラおよび前記コントローラと接続されるネットワークインターフェースユニットを備え、第１電力状態および第１電力状態より省電力の第２電力状態となる情報処理装置の制御方法であって、
前記第２電力状態のときにネットワークからパケットを受信する工程と、
受信したパケットが、特定パターンのパケットである場合、前記コントローラがデータ処理可能な前記第１電力状態に移行すること無しで前記ネットワークインターフェースユニットに当該受信したパケットを保持する工程と、
前記パケットが保持される状態で前記情報処理装置が前記第１電力状態になった場合、前記保持されるパケットを前記コントローラに送信する工程と、を有することを特徴とする情報処理装置の制御方法。
【請求項１９】
請求項１８に記載の情報処理装置の制御方法をコンピュータに実行させるためのプログラム。
【手続補正２】
【補正対象書類名】明細書
【補正対象項目名】発明の名称
【補正方法】変更
【補正の内容】
【発明の名称】情報処理装置、ネットワークインターフェースユニット、情報処理装置の制御方法およびプログラム
【手続補正３】
【補正対象書類名】明細書
【補正対象項目名】０００７
【補正方法】変更
【補正の内容】
【０００７】
上記目的を達成する本発明の情報処理装置は以下に示す構成を備える。
第１電力状態および第１電力状態より省電力の第２電力状態となる情報処理装置であって、コントローラと、前記コントローラと接続されるネットワークインターフェースユニットと、を備え、前記ネットワークインターフェースユニットは、前記第２電力状態のときに受信したパケットが、特定パターンのパケットである場合、前記第１電力状態に移行すること無しで当該受信したパケットを保持する保持手段と、前記保持手段によって前記パケットが保持される状態で前記情報処理装置が前記第１電力状態になった場合、前記保持手段によって保持される前記パケットを前記コントローラに送信する送信手段と、を有することを特徴とする。
また、本発明のネットワークインターフェースユニットは以下に示す構成を備える。
第１電力状態および第１電力状態より省電力の第２電力状態となる情報処理装置に接続可能なネットワークインターフェースユニットであって、ネットワークから送信されたパケットを受信し且つ前記ネットワークにパケットを送信する送受信手段と、前記送受信手段によって受信されたパケットと比較するべき複数種類のパターンを記憶する記憶手段と、前記送受信手段によって受信されたパケットと前記記憶手段に記憶される複数種類のパターンとを比較する比較手段と、前記比較手段による比較の結果、前記受信されたパケットが特定パターンのパケットである場合、前記情報処理装置のコントローラがデータ処理可能な前記第１電力状態に移行すること無しで、当該受信したパケットを保持する保持手段と、前記保持手段によって前記パケットが保持される状態で前記情報処理装置が前記第１電力状態になった場合、前記保持手段によって保持される前記パケットを前記コントローラに送信する送信手段と、を有することを特徴とする。